(57)【要約】【課題】突き合わせ框の意匠性を向上させることのできる樹脂サッシを提供する。【解決手段】合成樹脂からなる枠体１に、合成樹脂からなる上下框と縦框及び召合わせ框または突き合わせ框を方形状に框組みしてなる框体５にパネル体６を納めた障子２、３を納め、少なくとも２枚の障子３、３が突き合わせ状に配置され、少なくとも上下框２０、２１と縦框２２及び突き合わせ框２５は外周面に凹状溝部を備え、突き合わせ框２５には室内面に金属製の補強材３０が取付けられ、補強材３０の室内露出面を覆うように補強材カバー体３１が設けられ、補強材カバー体３１は補強材３０の外周側面を覆う外周面部３１ａが室外側に延出された延出部３１ｂを備え、延出部３１ｂは突き合わせ框２５の凹状溝部２５ｃ内に固定される固定部３１ｃを先端部に備える。【選択図】図３
2011174249.tif 000002
【特許請求の範囲】
【請求項１】
合成樹脂からなる枠体に、合成樹脂からなる上下框と縦框及び召合わせ框または突き合わせ框を方形状に框組みしてなる框体にパネル体を納めた障子を納め、少なくとも２枚の障子が突き合わせ状に配置される樹脂サッシにおいて、
少なくとも前記突き合わせ框は外周面に凹状溝部を備え、前記突き合わせ框には室内面に金属製の補強材が取付けられ、該補強材の室内露出面を覆うように合成樹脂からなる補強材カバー体が設けられ、
前記補強材カバー体は前記補強材の外周側面を覆う外周面部が室外側に延出された延出部を備え、該延出部は前記突き合わせ框の凹状溝部内に固定される固定部を先端部に備えることを特徴とする樹脂サッシ。
【請求項２】
前記補強材の外周側面は前記突き合わせ框の外周面と略面一状とされ、前記補強材カバー体の外周面部と延出部は略面一状とされることを特徴とする請求項１記載の樹脂サッシ。
【請求項３】
前記凹状溝部を構成する室内側壁には被係合部が形成され、前記補強材カバー体の延出部には先端部に前記被係合部に係止される係合部が形成されてなることを特徴とする請求項１または２記載の樹脂サッシ。
【請求項４】
互いに突き合わされる２つの突き合わせ框のうち一方の凹状溝部には、他方の突き合わせ框に当接される戸当たり部材が固定され、該戸当たり部材と前記補強材カバー体の延出部は重合状とされて前記凹状溝部に固定されることを特徴とする請求項１〜３のいずれか１項に記載の樹脂サッシ。
【請求項５】
前記戸当たり部材が固定されない他方の突き合わせ框に設けられる補強材カバー体は、前記突き合わせ框の外周面に対しビス止め固定されることを特徴とする請求項４記載の樹脂サッシ。
【発明の詳細な説明】
【技術分野】
【０００１】
本発明は、建物開口部に取付けられる枠体を合成樹脂で構成した樹脂サッシに関し、特に隣接する２枚の障子が突き合わされる樹脂サッシに関する。
【背景技術】
【０００２】
従来、建物開口部に設けるサッシとして、枠体及び障子の框体を合成樹脂材で構成した樹脂サッシが知られている。樹脂サッシを構成する枠体は、上下枠と左右の縦枠を方形状に枠組みしてなるものであり、これら上下枠と縦枠は、両端部が４５°の角度で傾斜状に切断されると共に、コーナー部分で互いに突き合わされ、溶着によって接合される。また、樹脂サッシに用いられる障子の框体は、上下框と縦框及び召合わせ框を方形状の框組みして構成され、上下框と縦框及び召合わせ框は、両端部が４５°の角度で傾斜状に切断されると共に、コーナー部分で互いに突き合わされ、溶着によって接合される。
【０００３】
樹脂サッシにおいて框体を構成する召合わせ框には、風圧等に対する強度を向上させるため、室内側に張り出す部分を設けることがある。この張出部分として、召合わせ框の室内面に金属製の補強材を固定し、さらにその室内側面を樹脂製のカバー材で覆って構成したものが知られている。このような樹脂サッシとしては、例えば特許文献１に挙げるようなものがある。
【先行技術文献】
【特許文献】
【０００４】
【特許文献１】特開平１０−１４０９３６号公報
【発明の概要】
【発明が解決しようとする課題】
【０００５】
枠体内に障子を４枚あるいは６枚など多数納める場合には、隣接する２枚１組の障子のうち、少なくとも１組が突き合わせ状に配置される。互いに対向する障子の突き合わせ框は、召合わせ框と同様に補強材が室内側に設けられ、それを覆うようにカバー材が配設される。しかし、従来の樹脂サッシでは、カバー材と框材との間に継ぎ目が生じるため、意匠性を損なうという問題があった。特に、互いに対向する突き合わせ框のうち一方には、戸当たり部材が設けられてカバー材と框材の間の継ぎ目を目立たなくすることもできるが、他方の突き合わせ框では、この継ぎ目が室内側から直接見えることとなる。
【０００６】
本発明は前記課題を鑑みてなされたものであり、突き合わせ框の意匠性を向上させることのできる樹脂サッシを提供することを目的とする。
【課題を解決するための手段】
【０００７】
前記課題を解決するため、本発明に係る樹脂サッシは、合成樹脂からなる枠体に、合成樹脂からなる上下框と縦框及び召合わせ框または突き合わせ框を方形状に框組みしてなる框体にパネル体を納めた障子を納め、少なくとも２枚の障子が突き合わせ状に配置される樹脂サッシにおいて、
少なくとも前記突き合わせ框は外周面に凹状溝部を備え、前記突き合わせ框には室内面に金属製の補強材が取付けられ、該補強材の室内露出面を覆うように合成樹脂からなる補強材カバー体が設けられ、
前記補強材カバー体は前記補強材の外周側面を覆う外周面部が室外側に延出された延出部を備え、該延出部は前記突き合わせ框の凹状溝部内に固定される固定部を先端部に備えることを特徴として構成されている。
【０００８】
また、本発明に係る樹脂サッシは、前記補強材の外周側面は前記突き合わせ框の外周面と略面一状とされ、前記補強材カバー体の外周面部と延出部は略面一状とされることを特徴として構成されている。
【０００９】
さらに、本発明に係る樹脂サッシは、前記凹状溝部を構成する室内側壁には被係合部が形成され、前記補強材カバー体の延出部には先端部に前記被係合部に係止される係合部が形成されてなることを特徴として構成されている。
【００１０】
さらにまた、本発明に係る樹脂サッシは、互いに突き合わされる２つの突き合わせ框のうち一方の凹状溝部には、他方の突き合わせ框に当接される戸当たり部材が固定され、該戸当たり部材と前記補強材カバー体の延出部は重合状とされて前記凹状溝部に固定されることを特徴として構成されている。
【００１１】
そして、本発明に係る樹脂サッシは、前記戸当たり部材が固定されない他方の突き合わせ框に設けられる補強材カバー体は、前記突き合わせ框の外周面に対しビス止め固定されることを特徴として構成されている。
【発明の効果】
【００１２】
本発明に係る樹脂サッシによれば、突き合わせ框には室内面に金属製の補強材が取付けられ、補強材の室内露出面を覆うように補強材カバー体が設けられ、補強材カバー体は補強材の外周側面を覆う外周面部が室外側に延出された延出部を備え、延出部は突き合わせ框の凹状溝部内に固定される固定部を先端部に備えることにより、補強材カバー体により補強材の外周側面から突き合わせ框の外周面にかけて連続的に被覆されるので、障子を開けたときなど突き合わせ框の外周面側が露出する際において、意匠性を良好にすることができる。
【００１３】
また、本発明に係る樹脂サッシによれば、補強材の外周側面は突き合わせ框の外周面と略面一状とされ、補強材カバー体の外周面部と延出部は略面一状とされることにより、補強材から突き合わせ框にかけて一体的な外観を奏することができ、意匠性をより良好にすることができる。
【００１４】
さらに、本発明に係る樹脂サッシによれば、凹状溝部を構成する室内側壁には被係合部が形成され、補強材カバー体の延出部には先端部に被係合部に係止される係合部が形成されてなることにより、補強材カバー体と突き合わせ框の固定部分を見えにくくしつつ簡易に固定することができる。
【００１５】
さらにまた、本発明に係る樹脂サッシによれば、互いに突き合わされる２つの突き合わせ框のうち一方の凹状溝部には、他方の突き合わせ框に当接される戸当たり部材が固定され、戸当たり部材と補強材カバー体の延出部は重合状とされて凹状溝部に固定されることにより、補強材カバー体と戸当たり部材とが重合状となって強固に固定することができる。
【００１６】
そして、本発明に係る樹脂サッシによれば、戸当たり部材が固定されない他方の突き合わせ框に設けられる補強材カバー体は、突き合わせ框の外周面に対しビス止め固定されることにより、戸当たり部材が他方の突き合わせ框に接離することに伴い、他方の突き合わせ框の補強材カバー体が外れたりすることを防止することができる。
【図面の簡単な説明】
【００１７】
【図１】本実施形態における樹脂サッシの縦断面図である。
【図２】樹脂サッシの横断面図である。
【図３】図２のうち突き合わせ框付近の拡大図である。
【発明を実施するための形態】
【００１８】
本発明の実施形態について図面に沿って詳細に説明する。図１には本実施形態における樹脂サッシの縦断面図を、図２には樹脂サッシの横断面図を、それぞれ示している。これら各図に示すように、本実施形態の樹脂サッシは、方形状に枠組みしてなる合成樹脂製の枠体１内に、２枚の内障子２、２と２枚の外障子３、３を納めてなり、内障子２及び外障子３は、いずれも方形状に框組みしてなる合成樹脂製の框体５内にガラス板からなるパネル体６を納めて構成されている。また、外障子３の室外側には、網戸４が配置される。
【００１９】
図２に示されているように、内障子２、２は、それぞれ枠体１の縦枠１２側両端に配置され、外障子３、３は、それぞれ枠体１の中央部に突き合わせ状に配置される。内障子２と外障子３が隣接する部分では、框体５の縦辺が室内外に重なり合って召合わせ状となっている。
【００２０】
枠体１は、上枠１０と下枠１１及び左右の縦枠１２、１２が方形状に枠組みされている。各枠材は、断面中空状に形成され、四周に渡って連続状となるタイト材保持部１０ａ、１１ａ、１２ａをそれぞれ有している。また、下枠１１は内障子２及び外障子３を案内するレール部１１ｂを上面に２条備えている。
【００２１】
内障子２の框体５は、上框２０と下框２１、縦枠１２側に配置される縦框２２、及び外障子３との召合わせ側に配置される内召合わせ框２３を、方形状に框組みして構成される。また、外障子３の框体５は、上框２０と下框２１、内障子２との召合わせ側に配置される外召合わせ框２４、及び互いに突き合わされる突き合わせ框２５を、方形状に框組みして構成される。
【００２２】
上框２０は、内周面にパネル体６周縁部の室外面を保持する室外側保持部２０ａを備え、内周面の室内側にはパネル体６周縁部の室内面を保持する押縁部材２６が設けられる。下框２１も、内周面に室外側保持部２１ａが設けられると共に、室内側には押縁部材２６が設けられる。縦框２２ａも同様に、内周面に室外側保持部２２ａが設けられると共に、室内側には押縁部材２６が設けられる。内召合わせ框２３と外召合わせ框２４は、内周面に保持溝２３ａ、２４ａをそれぞれ備え、ここにパネル体６周縁部が挿入されてこれを保持する。突き合わせ框２５は、縦框２２と同様に構成されており、室外側保持部２５と押縁部材２６によりパネル体６周縁部を挟持する。
【００２３】
また、上框２０は外周面２０ｂに凹状溝部２０ｃを有し、下框２１も外周面２１ｂに凹状溝部２１ｃを有し、縦框２２も外周面２２ｂに凹状溝部２２ｃを有している。一方、内召合わせ框２３と外召合わせ框２４は、いずれも外周面は平面状とされている。
【００２４】
図３には、図２のうち突き合わせ框２５付近の拡大図を示している。互いに対向する２つの突き合わせ框２５、２５は、断面同形状を有しており、図中右側の一方の突き合わせ框２５には、戸当たり部材３２が取付けられていて、図中左側の他方の突き合わせ框２５に対して戸当たり部材３２を介して突き当てられる。突き合わせ框２５は、外周面２５ｂに凹状溝部２５ｃを有しており、この凹状溝部２５ｃに対して戸当たり部材３２が挿入固定される。
【００２５】
突き合わせ框２５の室内面には、金属製の補強材３０が長手方向に沿って固定される。補強材３０は、突き合わせ框２５の強度を増すために設けられ、長手方向数カ所で突き合わせ框２５に対してビス止め固定される。また、補強材３０は、断面中空でかつ方形状に形成されており、補強材３０の外周側面は突き合わせ框２５の外周面２５ｂと略面一状とされる。
【００２６】
この補強材３０が室内側に直接露出しないようにするため、補強材３０を覆うように合成樹脂製の補強材カバー体３１が設けられる。補強材カバー体３１は、補強材３０の内周側面と外周側面及び室内側面の全面を覆うように構成されている。また、補強材カバー体３１は、補強材３０の外周側面を覆う外周面部３１ａが室外側に延出された延出部３１ｂを備えている。外周面部３１ａと延出部３１ｂは面一の連続状に形成されており、延出部３１ｂの先端部には、突き合わせ框２５の凹状溝部２５ｃ内に固定される固定部３１ｃが形成されている。
【００２７】
突き合わせ框２５の凹状溝部２５ｃは、これを構成する室内側壁に被係合部２５ｄが形成されている。補強材カバー体３１の固定部３１ｃは、延出部３１ｂの先端部から凹状溝部２５ｃの室内側壁に沿うように屈曲しており、先端部分には凹状溝部２５ｃの被係合部２５ｄに係合する係合部３１ｄが形成されている。これにより、補強材カバー体３１の一端側が突き合わせ框２５に対して固定され、また補強材カバー体３１の他端側は、補強材３０の内周側面端部に対して係合することで、補強材３０に対し固定される。
【００２８】
補強材カバー体３１の固定部３１ｃが係合された突き合わせ框２５の凹状溝部２５ｃのうち一方には、前述のように戸当たり部材３２が固定される。この戸当たり部材３２は、凹状溝部２５ｃの形状に略適合する框固定部３２ａを備え、この框固定部３２ａは室内側壁が補強材カバー体３１の固定部３１ｃと重合された上で、底壁が突き合わせ框２５に対してビス止め固定される。
【００２９】
また、戸当たり部材３２は、框固定部３２ａに隣接して中空部３２ｂが形成され、この中空部３２ｂが互いに対向する突き合わせ框２５間に配置され、さらに中空部３２ｂからは、突き合わされる他方の突き合わせ框２５の凹状溝部２５ｃに挿入される框挿入部３２ｃが、突出状に形成されている。框挿入部３２ｃは、突き合わせ框２５の凹状溝部２５ｃに対して出没自在とされる。また、框挿入部３２ｃの室内側壁は、突き合わされる他方の突き合わせ框２５の凹状溝部２５ｃに挿入された状態において、補強材カバー体３１の固定部３１ｃと重合状となる。
【００３０】
戸当たり部材３２が固定されない側の突き合わせ框２５に設けられる補強材カバー体３１は、延出部３１ｂの部分において、ビス３３により突き合わせ框２５の外周面２５ｂに対し固着される。戸当たり部材３２は、凹状溝部２５ｃに挿入される框挿入部３２ｃを備えており、これが突き当てられる突き合わせ框２５と接離するのに伴い、補強材カバー体３１に力がかかって外れやすくなることが考えられる。これに対し、補強材カバー体３１がビス３３により突き合わせ框２５に対し固定されていることで、補強材カバー体３１が突き合わせ框２５から外れないようにすることができる。
【００３１】
このように、突き合わせ框２５において強度を大きくするため設けられる補強材３０を覆う補強材カバー体３１において、外周面部３１ａを室外側に延出した延出部３１ｂを設け、その先端部を突き合わせ框２５の凹状溝部２５ｃに対して係合固定するようにしたことで、補強材３０の外周側面から突き合わせ框２５の外周面２５ｂにかけて、連続的な外観とすることができる。特に、外障子３を開いて突き合わせ框２５の外周面２５ｂ側が室内側から見える状態となったときに、当該面が連続状に見えるので、意匠性を良好にすることができる。
【００３２】
以上、本発明の実施形態について説明したが、本発明の適用は本実施形態には限られず、その技術的思想の範囲内において様々に適用されうるものである。例えば、本実施形態では内障子２と外障子３をそれぞれ２枚ずつ配置して外障子３を互いに突き合わせる態様としているが、障子を６枚あるいは８枚などさらに多くして、各突き合わせ框について本発明を適用することも当然可能である。
【符号の説明】
【００３３】
１    枠体
２    内障子
３    外障子
４    網戸
５    框体
６    パネル体
１０    上枠
１１    下枠
１２    縦枠
１３    タイト材
２０    上框
２１    下框
２２    縦框
２３    内召合わせ框
２４    外召合わせ框
２５    突き合わせ框
２５ａ  室外側保持部
２５ｂ  外周面
２５ｃ  凹状溝部
２５ｄ  被係合部
２６    押縁部材
３０    補強材
３１    補強材カバー体
３１ａ  外周面部
３１ｂ  延出部
３１ｃ  固定部
３１ｄ  係合部
３２    戸当たり部材
【図１】
2011174249.tif 000003
【図２】
2011174249.tif 000004
【図３】
2011174249.tif 000005